(57)【要約】【課題】消費電力を抑えつつ、寒冷地における電子部品の起動の不具合や動作不良を防止することのできる表示装置を提供する。【解決手段】少なくとも内部がパネルエリア30とシャーシエリア40で区画されたキャビネット20と、前記パネルエリアには、映像を表示する液晶パネル31及び該液晶パネルの光源となるバックライト32が配置され、前記シャーシエリアには、電源を供給する電源ユニット44と、該電源ユニットの通電を制御するマイコン部41が配置されてなる表示装置において、パネルエリア温度検出部60と、シャーシエリア温度検出部61を具え、これらの検出温度に基づいて、スタンバイモードと疑似スタンバイモードとを移行する。【選択図】図５
2013134278.tif 000002
【特許請求の範囲】
【請求項１】
少なくとも内部がパネルエリアとシャーシエリアで区画されたキャビネットと、
前記パネルエリアには、映像を表示する液晶パネル及び該液晶パネルの光源となるバックライトが配置され、
前記シャーシエリアには、前記液晶パネル及びバックライトに電源を供給する電源ユニットと、該電源ユニットの通電を制御する制御部が配置されてなる、
表示装置において、
パネルエリア内の温度を計測するパネルエリア温度検出部と、
シャーシエリア内の温度を計測するシャーシエリア温度検出部と、
を具え、
該制御部は、前記電源ユニットから前記制御部、パネルエリア温度検出部及びシャーシエリア温度検出部に通電し、前記液晶パネル及びバックライトへの通電を停止するスタンバイモードと、前記電源ユニットから前記制御部、パネルエリア温度検出部及びシャーシエリア温度検出部に通電すると共に、前記液晶パネル及びバックライトに通電するが液晶パネルには画像を表示しない疑似スタンバイモードと、に移行可能であり、前記パネルエリア温度検出部又はシャーシエリア温度検出部により計測された温度に基づいて、前記スタンバイモードと疑似スタンバイモードとの切替えを行なう、
ことを特徴とする表示装置。
【請求項２】
前記制御部は、
予め設定された前記パネルエリア温度検出部に対する第１パネルエリア温度閾値、又は、前記シャーシエリア温度検出部に対する第１シャーシエリア温度閾値が、夫々に対して設定された第１閾値以下であると判断すると、スタンバイモードから疑似スタンバイモードへ移行する、
請求項１に記載の表示装置。
【請求項３】
前記制御部は、
前記パネルエリア温度検出部に対する前記第１パネルエリア温度閾値よりも高い第２パネルエリア温度閾値、及び、前記シャーシエリア温度検出部に対する前記第１シャーシエリア温度閾値よりも高い第２シャーシエリア温度閾値が予め設定されており、
前記第２パネルエリア温度閾値、及び、前記第２シャーシエリア温度閾値が、夫々に対して設定された第２閾値以上と判断したときには、疑似スタンバイモードからスタンバイモードへ移行する、
請求項２に記載の表示装置。
【請求項４】
キャビネット外部の温度を計測する外気温度検出部を具え、
前記制御部は、前記パネルエリア温度検出部、シャーシエリア温度検出部、又は、外気温度検出部により計測された温度に基づいて、前記スタンバイモードと疑似スタンバイモードとの切替えを行なう、
請求項１乃至請求項３の何れかに記載の表示装置。
【発明の詳細な説明】
【技術分野】
【０００１】
本発明は、液晶パネルとバックライトを有する表示装置に関するものであり、特に寒冷な屋外等の環境下で使用されることを想定した表示装置に関するものである。
【背景技術】
【０００２】
液晶ディスプレイを具える表示装置では、液晶ディスプレイを構成する液晶パネルやバックライトに通電を行ない、ユーザが視聴可能な所謂「通常モード」と、消費電力削減のため待機電力を抑えた所謂「スタンバイモード」を有している。通常モードからスタンバイモードへの移行は、ユーザによるリモコン操作等によって行なわれ、スタンバイモードへ移行すると、制御部となるマイコン部のみへ通電を行ない、液晶パネルやバックライト、その他の電子部品への通電を停止するようにしている。
【０００３】
ところが、最低気温が氷点下となるような寒冷地においては、電子部品の温度特性によって電源が入り難くなり、スタンバイモードから通常モードへ復帰しない不具合が発生することがある。
【０００４】
また、液晶パネルは、特に低温においてその応答性が悪くなることがある。
【０００５】
そこで、これらの不具合の発生をなくすために、通常モードとスタンバイモードとの切替えだけでなく、通常モードとスタンバイモードとの間に位置する所謂「疑似スタンバイモード」を設けた表示装置も提案されている(例えば、特許文献１参照)。
【０００６】
疑似スタンバイモードでは、マイコン部だけでなく、バックライト、液晶パネル及びその他の電子部品にも通電するが、消費電力低減を図るために、バックライトは調光をできるだけ抑えて点灯させ、液晶パネルには黒信号を送信して画面をミュートするようにしている。
【０００７】
しかしながら、当然、疑似スタンバイモードはスタンバイモードに比して待機電力は大きくなり、また、常時通電を行なったままであると、液晶パネル、バックライト、その他の電子部品の寿命も短くなってしまう。
【０００８】
そこで、特許文献１では、液晶ディスプレイ等の収容されるキャビネット内に温度センサを設け、この温度センサの計測した温度に基づいて、スタンバイモードと疑似スタンバイモードの切替えを行なうようにしている。
【先行技術文献】
【特許文献】
【０００９】
【特許文献１】特開２００８−２７６０２８号公報
【発明の開示】
【発明が解決しようとする課題】
【００１０】
屋外向けの表示装置では、直射日光の照射による液晶ディスプレイの温度上昇を抑えるために、コンプレッサ等の冷却機を搭載しているものがある。このような冷却機を搭載した屋外向けの表示装置では、液晶ディスプレイの温度上昇を効率的に抑え、冷却機による冷却効果を高めるために、キャビネット内で液晶パネルとバックライトの配置されるパネルエリアと、マイコン、その他の電子部品が配置されるシャーシエリアとを区画し、パネルエリア内で空気を循環させて、冷却機による冷却を効率的に行なうようにしている。
【００１１】
パネルエリアとシャーシエリアを区画した場合、各エリアの電子部品の動作保証温度範囲は同じとはならない。また、各エリアに搭載される電子部品が違うから、エリア毎に熱容量は異なることとなり、外気温度に対する温度下降の曲線も異なる。さらに、液晶パネルが視認可能となるようにパネルエリアの前面はガラス板によって密閉されるが、このパネルエリアに日光が照射した場合、パネルエリアの温度のみが上昇し、シャーシエリアの温度は殆んど上昇しない。
【００１２】
このため、パネルエリアとシャーシエリアの何れか一方のエリアのみの温度を計測することで、他のエリアの温度を推測することは困難である。
【００１３】
本発明の目的は、消費電力を抑えつつ、寒冷地における電子部品の起動の不具合や動作不良を防止することのできる表示装置を提供することである。
【課題を解決するための手段】
【００１４】
本発明に係る表示装置は、
少なくとも内部がパネルエリアとシャーシエリアで区画されたキャビネットと、
前記パネルエリアには、映像を表示する液晶パネル及び該液晶パネルの光源となるバックライトが配置され、
前記シャーシエリアには、前記液晶パネル及びバックライトに電源を供給する電源ユニットと、該電源ユニットの通電を制御する制御部が配置されてなる、
表示装置において、
パネルエリア内の温度を計測するパネルエリア温度検出部と、
シャーシエリア内の温度を計測するシャーシエリア温度検出部と、
を具え、
該制御部は、前記電源ユニットから前記制御部、パネルエリア温度検出部及びシャーシエリア温度検出部に通電し、前記液晶パネル及びバックライトへの通電を停止するスタンバイモードと、前記電源ユニットから前記制御部、パネルエリア温度検出部及びシャーシエリア温度検出部に通電すると共に、前記液晶パネル及びバックライトに通電するが液晶パネルには画像を表示しない疑似スタンバイモードと、に移行可能であり、前記パネルエリア温度検出部又はシャーシエリア温度検出部により計測された温度に基づいて、前記スタンバイモードと疑似スタンバイモードとの切替えを行なう、
ようにしたものである。
【発明の効果】
【００１５】
本発明の表示装置によれば、パネルエリア及びシャーシエリアの温度に基づいてスタンバイモードと疑似スタンバイモードの切替えを行なうことで、表示装置の待機時における消費電力の低減を達成できる。
また、例えば、表示装置の設置場所が寒冷地などであって、最低気温が氷点下になった場合でも、パネルエリア又はシャーシエリアの温度に応じて、待機時にスタンバイモードから疑似スタンバイモードへの切替えを行なうことができるから、電子部品等が温度特性により復帰しない不具合や動作不良を可及的に防止できる。
【図面の簡単な説明】
【００１６】
【図１】図１は、本発明の一実施例である表示装置を斜め前方から見た斜視図である。
【図２】図２は、本発明の一実施例である表示装置の制御ブロック図である。
【図３】図３は、図１の線Ａ−Ａに沿う断面図であって、パネルエリア温度検出部の取付位置と外部温度検出部の取付位置を説明する図である。
【図４】図４は、キャビティ内部のシャーシエリアの背面図であって、シャーシエリア温度検出部の取付位置を説明する図である。
【図５】図５は、本発明の一実施例の表示装置のスタンバイモードと疑似スタンバイモードとの切替えを示すフローチャート図である。
【発明を実施するための最良の形態】
【００１７】
以下、本発明を屋外向け表示装置(10)に適用した実施例について、図面を用いて説明を行なう。
図１に示すように、屋外向け表示装置(10)は、液晶パネル(31)がガラス板(21)を介して前面から視認可能となるようにキャビネット(20)内に収容して構成される。キャビネット(20)は、アルミニウム等の金属や樹脂から形成することができる。
【００１８】
図２は、本発明の一実施例を示す表示装置(10)のブロック図であり、図中符号(20)で示すキャビネット内には、映像等を表示する液晶パネル(31)と、該液晶パネル(31)を背面側から照射する蛍光管やＬＥＤ等のバックライト(32)とを有する液晶ディスプレイが配備され、これらがマイコン部(41)を主体とする制御部に電気的に接続されている。
【００１９】
マイコン部(41)は、バックライト(32)の背面側に配置されており(例えば図３及び図４参照)、キャビネット(20)の前面側に配置されたリモコン受光部(42)にてオン、オフその他の操作を赤外線等によりリモコン受信し、その操作内容に基づいた制御を行なう。
【００２０】
マイコン部(41)には、電源制御部(43)を介して電源ユニット(44)が接続されている。電源ユニット(44)は、図示省略する商用電源等からの電源の供給を受け、マイコン部(41)からの電源制御信号に基づき、必要となる電圧をマイコン部(41)、液晶パネル(31)、バックライト(32)、映像表示部(45)等の各電子部品に供給する。
【００２１】
液晶パネル(31)は、電源ユニット(44)から給電を受け、外部入力等の映像信号入力部(46)からの映像信号が映像表示部(45)にて補正等処理されて映像等を表示する。
【００２２】
また、液晶パネル(31)は、マイコン部(41)からの信号に基づき、映像等を表示する「通常モード」、待機状態にて消費電力削減のため通電を停止した「スタンバイモード」、及び、映像等は表示しないが、液晶パネル(31)に黒信号を送信し、ユーザが視認したときに、液晶パネル(31)が消えているように見えるミュート状態とする「疑似スタンバイモード」を切替可能となっている。
【００２３】
なお、図２の実施例では、ユーザの操作だけでなく、映像信号入力部(46)からの映像信号を映像信号検出部(47)を介してマイコン部(41)に入力できるようにしており、マイコン部(41)にて、その映像信号の入力が一定時間ないときには、液晶パネル(31)及びバックライト(32)を「スタンバイモード」又は「疑似スタンバイモード」に移行可能な構成としている。
【００２４】
バックライト(32)は、電源ユニット(44)からの給電を受け、液晶パネル(31)を背面から照射する。バックライト(32)は、バックライト制御部(48)を介してマイコン部(41)に接続されており、点灯及び消灯、さらには、点灯状態における調光が可能となっている。
【００２５】
バックライト(32)は、「通常モード」では、外部の明るさ等に基づき予め設定された明るさで点灯し、「スタンバイモード」では消灯する。また、「疑似スタンバイモード」では調光をできるだけ抑えて点灯することで、消費電力の低減を図るようにしている。
【００２６】
ところで、屋外向けの表示装置(10)では、雨や埃、高湿による結露を受ける。また、直射日光による温度上昇によって液晶パネル(31)が昇温し、液晶が正常に表示できなくなる虞がある。勿論、液晶パネル(31)及びバックライト(32)も作動に伴って発熱する。
【００２７】
これらの影響を防止するために、液晶パネル(31)とバックライト(32)は、図３に示すように、前面がガラス板(21)、側面及び背面が金属又は樹脂製のケーシング(22)により密閉又は略密閉状態としたパネルエリア(30)内に配置すると共に、パネルエリア(30)内の冷却と除湿を図ることが望ましい。
【００２８】
本実施例では、例えば図３に示すように、パネルエリア(30)にコンプレッサ式の冷却機(33)とエバポレータ(34)(蒸発器)を搭載することで温度上昇及び湿度上昇を抑えるようにしている。また、パネルエリア(30)内で空気を効率的に循環させて冷却効率及び除湿効率を図るための空気循環ファン(35)を具える。なお、これらは何れも図２には図示していないが、マイコン部(41)に電気的に接続されて制御される。なお、これら冷却機(33)やエバポレータ(34)については、低温時に作動させる必要なないと考えられるため、動作保証温度についてはそれほど考慮しなくてよい。
【００２９】
マイコン部(41)及びその他の電子部品は、図３及び図４に示すように、主としてバックライト(32)の背面側のパネルエリア(30)の外側に配置されたシャーシ(50)上に基板(50)(51)等により実装される。これら電子部品は、上記のように液晶パネル(31)及びバックライト(32)は密閉されたパネルエリア(30)に収容されているから、キャビネット(20)内でパネルエリア(30)に対して区画されたエリアに配置されることとなる。このエリアをシャーシエリア(40)と称する。なお、シャーシパネルエリア(30)も雨や埃等による電子部品の動作不良を防止するために密閉又は略密閉構造とすることが望ましい。
【００３０】
図３及び図４に示す実施例では、電源ユニット(44)を基板(51)上に実装しており、マイコン部(41)等の主な電子部品を基板(50)上に実装している。
【００３１】
表示装置(10)には、さらに、図１及び図２に示すようにパネルエリア(30)の温度(パネルエリア温度(Ｐ))を計測するパネルエリア温度検出部(60)、シャーシエリア(40)内の温度(シャーシエリア温度(Ｓ))を計測するシャーシエリア温度検出部(61)、及び、外気温度(Ｏ)を計測する外気温度検出部(62)を具える。なお、外気温度検出部(62)を省略し、パネルエリア温度検出部(60)とシャーシエリア温度検出部(61)による構成とすることもできる。
これら温度検出部(60)(61)(62)として温度センサを例示することができ、これらは夫々マイコン部(41)に電気的に接続される(図２参照)。
【００３２】
上記パネルエリア温度検出部(60)は、パネルエリア(30)の内部に配置される。パネルエリア(30)内は、上述のように空気循環ファン(35)により空気を循環するよう構成しているが、直射日光等の影響により温度ムラが生ずることがある。そこで、本実施例では、図１及び図３に示すように、液晶パネル(31)の周囲の複数箇所、より具体的にはガラス板(21)の背面側にパネルエリア温度検出部(60)を配置している。
【００３３】
シャーシエリア温度検出部(61)は、シャーシエリア(40)の内部に配置される。シャーシエリア温度検出部(61)は、図４に示すように、例えば、シャーシ(50)の略中央であって、マイコン部(41)の実装される基板(50)の近傍に配置することができる。これにより、この基板(50)上に実装されるマイコン部(41)を含む電子部品の温度に近い温度を計測できる。
【００３４】
外気温度検出部(62)は、キャビネット(20)の外部に配置される。例えば、図１及び図３に示すように、キャビネット(20)の前面の適所に配置することができる。
【００３５】
上記構成の表示装置(10)は、「通常モード」からリモコン操作等により電源がオフにされると、予め設定された温度閾値に温度検出部(60)(61)(62)の温度に対応して、「スタンバイモード」と「疑似スタンバイモード」を切り替えて運転する。
【００３６】
制御部であるマイコン部(41)には、予めパネルエリア温度(Ｐ)、シャーシエリア温度(Ｓ)及び外気温度(Ｏ)の夫々に対して、スタンバイモードから疑似スタンバイモードに移行する第１パネルエリア温度閾値(Ｐ１)、第１シャーシエリア温度閾値(Ｓ１)及び第１外気温度閾値(Ｏ１)と、疑似スタンバイモードからスタンバイモードに移行する第２パネルエリア温度閾値(Ｐ２)、第２シャーシエリア温度閾値(Ｓ２)及び第２外気温度閾値(Ｏ２)を設定しておく。
【００３７】
パネルエリア温度閾値(Ｐ１、Ｐ２)は、パネルエリア(30)に搭載される液晶パネル(31)及びバックライト(32)の動作保証温度範囲に基づいて決定される。
例えば、液晶パネル(31)の動作保証温度の下限が０℃である場合、疑似スタンバイモードへ移行する第１パネルエリア温度閾値(Ｐ１)も０℃とする。スタンバイモードへ移行する第２パネルエリア温度閾値(Ｐ２)は、第１パネルエリア温度閾値(Ｐ１)よりも高い温度である５℃とする。
【００３８】
また、シャーシエリア温度閾値(Ｓ１、Ｓ２)は、シャーシエリア(40)に搭載されるマイコン部(41)や電源ユニット(44)等の電子部品の動作保証温度の下限に基づいて決定される。
例えば、電源ユニット(44)の動作保証温度の下限が−１０℃である場合、疑似スタンバイモードへ移行する第１シャーシエリア温度閾値(Ｓ１)も−１０℃とする。スタンバイモードへ移行する第２シャーシエリア温度閾値(Ｓ２)は、第１シャーシエリア温度閾値(Ｓ１)よりも高い温度である−５℃とする。
【００３９】
第１外気温度閾値(Ｏ１)は、前記第１パネルエリア温度閾値(Ｐ１)及び第１シャーシエリア温度閾値(Ｓ１)よりも低く設定することができる。理由として、外気温度に伴って、キャビネット(20)内のパネルエリア(30)及びシャーシエリア(40)の温度が下がることが予測されるためである。即ち、外気温度が０℃のときに、パネルエリア(30)及びシャーシエリア(40)の温度が０℃を下回ることはないからである。
例えば、第１外気温度閾値(Ｏ１)は、第１パネルエリア温度閾値(Ｐ１)が上記の０℃、第１シャーシエリア温度閾値(Ｓ１)が上記の−１０℃である場合、これらよりも低い温度である−１５℃とする。また、第２外気温度閾値(Ｏ２)は、第１外気温度閾値(Ｏ１)よりも高い温度である０℃とする。
【００４０】
なお、上記のように各閾値は、搭載される電子部品の動作保証温度の下限に基づいて設定されるが、動作保証を確実とするために動作保証温度の下限よりも例えば１℃から５℃程度高い温度に設定することもできる。
【００４１】
例えば、上記各閾値は例示であり、これら数値により本発明が限定されるものではないことは明らかである。
【００４２】
さらに、上記では、第１温度閾値(Ｐ１、Ｓ１、Ｏ１)と第２温度閾値(Ｐ２、Ｓ２、Ｏ２)との差を５℃としているが、これらの差が小さいと、計測された温度が閾値の前後を推移することで、頻繁にスタンバイモードと疑似スタンバイモードの切替えが行なわれてしまうからであり、このように閾値間にヒステリシスをもたせることで、頻繁なモード移行を低減できる。
【００４３】
上記温度閾値を用いた本発明の表示装置(10)の制御フローについて、フローチャート図５に沿って説明する。
フローチャート図５に示す制御フローへの移行は、表示装置(10)の電源がリモコン等によりオフにされた状態から開始される。
【００４４】
マイコン部(41)は、まず、パネルエリア温度検出部(60)からのパネルエリア温度(Ｐ)を第１パネルエリア温度閾値(Ｐ１)と比較する(ステップＡ１)。なおパネルエリア温度検出部(60)を複数配備している場合には、最小値を呈する検出温度を利用すればよい。これにより、動作保証温度を下回ることをより確実に防止できるからである。
【００４５】
計測されたパネルエリア温度(Ｐ)が前記第１温度閾値(Ｐ１)以上である場合には(ステップＡ１のＹｅｓ)、続いて、シャーシエリア温度(Ｓ)を第１シャーシエリア温度閾値(Ｓ１)と比較する(ステップＡ２)。
【００４６】
計測されたシャーシエリア温度(Ｓ)が前記第１温度閾値(Ｓ１)以上である場合には(ステップＡ２のＹｅｓ)、続いて、外気温度(Ｏ)を第１外気温度閾値(Ｏ１)と比較する(ステップＡ３)。
【００４７】
計測された外気温度(Ｏ)が前記第１温度閾値(Ｏ１)以上である場合には(ステップＡ３のＹｅｓ)、パネルエリア(30)、シャーシエリア(40)が動作保証温度以上であり、外気温度(Ｏ)がパネルエリア(30)及びシャーシエリア(40)に与える影響もないと想定される。このとき、計測された温度(Ｐ、Ｓ、Ｏ)が全て第２温度閾値(Ｐ２、Ｓ２、Ｏ２)よりも高ければ、後で説明するステップＢ２〜Ｂ４も何れもＹｅｓとなり、スタンバイモード、即ち、マイコン部(41)と、温度検出部(60)(61)(62)のみに通電を行ない、液晶パネル(31)及びバックライト(32)への通電を停止するよう制御する(ステップＢ５及びＢ６)。
【００４８】
スタンバイモード中も各温度(Ｐ、Ｓ、Ｏ)の計測を続け、すべての計測温度(Ｐ、Ｓ、Ｏ)が前記第１温度閾値(Ｐ１、Ｓ１、Ｏ１)以上且つ第２温度閾値(Ｐ２、Ｓ２、Ｏ２)以上であれば、スタンバイモードを維持する。これにより、表示装置(10)の消費電力を抑えることができる。
【００４９】
上記ステップＡ１〜Ａ３において、何れかの計測温度(Ｐ、Ｓ、Ｏ)が、第１温度閾値(Ｐ１、Ｓ１、Ｏ１)を下回った場合には(ステップＡ１〜Ａ３のＮｏ)、表示装置(10)の何れかの電子部品が動作保証温度を下回り、起動の不具合や動作不良を起こす虞があるから、マイコン部(41)は、現在の運転状態がスタンバイモードである場合、即ち、疑似スタンバイモードでない場合には、スタンバイモードから疑似スタンバイモードへその運転を切り替える(ステップＡ４及びＢ１)。なお、運転状態が疑似スタンバイモードであれば、そのまま疑似スタンバイモードを維持する(ステップＡ４のＮｏ)。
【００５０】
より具体的には、スタンバイモードで通電が行なわれている温度検出部(60)(61)(62)だけでなく、液晶パネル(31)及びバックライト(32)にも通電を行なう。なお、疑似スタンバイモードでは前述のとおり、液晶パネル(31)について、映像等は表示しないが、黒信号を送信し、ユーザが視認したときに、液晶パネル(31)が消えているように見えるミュート状態とし、バックライト(32)は、調光をできるだけ抑えて点灯させる。
【００５１】
上記のように疑似スタンバイモードで表示装置(10)を作動させることで、液晶パネル(31)及びバックライト(32)は発熱し、パネルエリア(30)を昇温させる。これにより、パネルエリア温度(Ｐ)が上昇する。
【００５２】
また、液晶パネル(31)及びバックライト(32)への給電に伴い、電源ユニット(44)も昇温するから、シャーシエリア温度(Ｓ)も上昇する。
【００５３】
疑似スタンバイモードに移行することで、上述のようにパネルエリア(30)及びシャーシエリア(40)の温度が上昇し、すべての計測温度(Ｐ、Ｓ、Ｏ)が第２温度閾値(Ｐ２、Ｓ２、Ｏ２)を越えるまで(ステップＢ２〜Ｂ４が全てＹｅｓとなるまで)、疑似スタンバイモードを維持する。なお、この場合、フローチャート図５のステップＡ１〜Ａ３は何れかのステップでＮｏとなる。また、疑似スタンバイモードに移行中であるから、ステップＡ４もＮｏとなり、再度、第２温度閾値(Ｐ２、Ｓ２、Ｏ２)との比較を行なう(ステップＢ２〜Ｂ４)。
【００５４】
外気温度(Ｏ)は表示装置(10)の作動とは無関係である一方、パネルエリア(30)及びシャーシエリア(40)の温度は外気温度(Ｏ)に追従するから、外気温度(Ｏ)が低いと、その影響によりパネルエリア(30)及びシャーシエリア(40)の温度も下がることを予測し、第２外気温度閾値(Ｏ２)以上となるまで、疑似スタンバイモードで表示装置(10)を作動させるようにしている。
これによって、外気温度(Ｏ)の影響によるパネルエリア(30)及びシャーシエリア(40)の温度低下を含めた制御を行なうことができる。
【００５５】
ステップＢ２〜Ｂ４において、すべての計測温度(Ｐ、Ｓ、Ｏ)が第２温度閾値(Ｐ２、Ｓ２、Ｏ３)以上となると(ステップＢ２〜Ｂ４がＹｅｓ)、電子部品の動作を保証できる温度まで昇温したと考えられるから、疑似スタンバイモードからスタンバイモードへ移行し(ステップＢ５及びＢ６)、再度計測温度(Ｐ、Ｓ、Ｏ)を上記閾値と比較しながら運転を続ける。
【００５６】
なお、上記実施例では、第２温度閾値(Ｐ２、Ｓ２、Ｏ２) を各第１温度閾値(Ｐ１、Ｓ１、Ｏ１)よりも高く設定しているから、上記ステップＢ１におけるスタンバイモードから疑似スタンバイモードへ移行するには、電子部品を余裕をもって動作保証温度以上まで昇温させることができ、また、頻繁にスタンバイモードと疑似スタンバイモードとの移行が繰り返されてしまうことを低減できる。
【００５７】
上記ステップを繰り返すことにより、氷点下となるような屋外に表示装置(10)を設置しても、電子部品は動作保証温度範囲で維持することができるから、消費電力の低減を図りつつ、各電子部品の起動の不具合や動作不良が生じることを防止できる。
【００５８】
なお、例えば、パネルエリア温度検出部(60)とシャーシエリア温度検出部(61)の何れか一方又は両方の不具合により、これらから計測温度をセンシングできない場合には、ステップＡ１、Ａ２、Ｂ２及びＢ３において夫々Ｙｅｓであるとみなして制御することで、外気温度検出部(62)の計測温度(Ｏ)のみに基づいて、上記制御フローを実行するようにしてもよい。これにより、外気温度検出部(62)は、保証用の最終手段として利用できる。
【００５９】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００６０】
例えば、パネルエリア温度検出部(60)、シャーシエリア温度検出部(61)、外気温度検出部(62)の数や設置位置は上記実施例に限定されるものではない。また、これら検出部を複数配備することもでき、この場合、最小値を呈する検出温度と閾値を比較することが望ましい。これにより、電子部品が動作保証温度を下回る状況に置かれることをより確実に防止できる。
【産業上の利用可能性】
【００６１】
本発明は、消費電力を抑えつつ、寒冷地における電子部品の起動の不具合や動作不良を防止することのできる表示装置として有用である。
【符号の説明】
【００６２】
(10)  表示装置
(30)  パネルエリア
(31)  液晶パネル
(32)  バックライト
(40)  シャーシエリア
(41)  マイコン部
(44)  電源ユニット
(60)  パネルエリア温度検出部
(61)  シャーシエリア温度検出部
(62)  外気温度検出部
【図１】
2013134278.tif 000003
【図２】
2013134278.tif 000004
【図３】
2013134278.tif 000005
【図４】
2013134278.tif 000006
【図５】
2013134278.tif 000007